【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
湾曲方向について湾曲し、表示領域に配置される複数の画素間パターンを備え、前記複数の画素間パターンが前記湾曲方向に配列されるアレイ基板と、
対向基板であって、前記アレイ基板に沿うように前記湾曲方向について湾曲し、前記表示領域に配置される複数の遮光パターンを備え、前記複数の遮光パターンが前記湾曲方向に配列され前記複数の画素間パターンにそれぞれ対応し、前記複数の画素間パターンにおける着目する画素間パターンの前記湾曲方向の位置が湾曲の頂上部から前記表示領域の周縁部まで移動した場合に、前記アレイ基板が平坦であるときの前記着目する画素間パターンの前記湾曲方向の位置からの前記対向基板が平坦であるときの前記複数の遮光パターンにおける前記着目する画素間パターンに対応する着目する遮光パターンの前記湾曲方向の位置のずらし量が、大きくなった後に小さくなる対向基板と、
を備える液晶表示装置。
【請求項２】
前記表示領域を囲み、前記対向基板を前記アレイ基板に貼り合わせるシール材
をさらに備え、
前記周縁部は、前記シール材に沿い、
前記着目する画素間パターンの前記湾曲方向の位置が前記頂上部または前記周縁部にある場合に前記ずらし量が０になる
請求項１の液晶表示装置。
【請求項３】
前記対向基板は、
前記湾曲方向に配列される複数の繰り返し単位を備え、前記複数の繰り返し単位の各々が第１から第ｎまでの着色部を備え、ｎが３以上の整数であり、前記第１から第ｎまでの着色部が同一の絵素に属する着色部アレイ
をさらに備え、
前記複数の遮光パターンは、前記複数の繰り返し単位の各々について、第ｉの遮光パターンが第ｉ＋１の遮光パターンに隣接し、第ｉの遮光パターンおよび第ｉ＋１の遮光パターンが第ｉの着色部を挟み、ｉが１からｎまでの整数の各々であり、前記対向基板が平坦である場合に一定のピッチで配列される第１から第ｎ＋１までの遮光パターンを含み、
前記複数の画素間パターンは、前記複数の繰り返し単位の各々について、前記第１から第ｎ＋１までの遮光パターンにそれぞれ対応し、前記アレイ基板が平坦である場合に一定のピッチで配置される第１から第ｎ＋１までの画素間パターンを含む
請求項１または２の液晶表示装置。
【請求項４】
前記ずらし量が０でない場合に、前記着目する画素間パターンの前記湾曲方向の位置が、前記アレイ基板が平坦であり前記複数の画素間パターンが一定のピッチで配置されるときの位置から第１の方向にずらされ、前記着目する遮光パターンの前記湾曲方向の位置が、前記対向基板が平坦であり前記複数の遮光パターンが一定のピッチで配置されるときの位置から前記第１の方向と反対の第２の方向にずらされる
請求項１から３までのいずれかの液晶表示装置。
【請求項５】
前記対向基板が前記アレイ基板より湾曲内側に配置され、
前記ずらし量が０でない場合に、前記対向基板が平坦であるときの前記着目する遮光パターンの前記湾曲方向の位置が、前記アレイ基板が平坦であるときの前記着目する画素間パターンの前記湾曲方向の位置から前記周縁部に向かってずらされる
請求項１から４までのいずれかの液晶表示装置。
【請求項６】
前記アレイ基板が前記対向基板より湾曲内側に配置され、
前記ずらし量が０でない場合に、前記アレイ基板が平坦であるときの前記着目する画素間パターンの前記湾曲方向の位置が、前記対向基板が平坦であるときの前記着目する遮光パターンの前記湾曲方向の位置から前記周縁部に向かってずらされる
請求項１から４までのいずれかの液晶表示装置。
【請求項７】
アレイ基板および対向基板の一方であり、湾曲方向について湾曲し、表示領域に配列される第１の複数の遮光パターンを備え、前記第１の複数の遮光パターンが前記湾曲方向に配列される第１の基板と、
前記アレイ基板および前記対向基板の他方であり、前記第１の基板に沿うように前記湾曲方向について湾曲し、前記第１の基板より湾曲内側に配置され、前記表示領域に配置される第２の複数の遮光パターンを備え、前記第２の複数の遮光パターンが前記湾曲方向に配列され前記第１の複数の遮光パターンにそれぞれ対応し、前記第２の複数の遮光パターンにおける着目する遮光パターンの前記湾曲方向の位置が湾曲の頂上部から前記表示領域の周縁部まで移動した場合に、前記着目する遮光パターンの前記湾曲方向の幅が、広くなった後に狭くなる第２の基板と、
を備える液晶表示装置。
【請求項８】
a)平坦であり、表示領域に配置される複数の画素間パターンを備え、前記複数の画素間パターンが特定の方向に配列されるアレイ基板と、
平坦であり、前記表示領域に配置される複数の遮光パターンを備え、前記複数の遮光パターンが前記特定の方向に配列され前記複数の画素間パターンにそれぞれ対応し、前記複数の画素間パターンにおける着目する画素間パターンの前記特定の方向の位置が特定の部分から前記表示領域の周縁部に移動した場合に、前記着目する画素間パターンの前記特定の方向の位置からの前記複数の遮光パターンにおける前記着目する画素間パターンに対応する着目する遮光パターンの前記特定の方向の位置のずらし量が、大きくなった後に小さくなる対向基板と、
を備える仕掛品を準備する工程と、
b)前記特定の部分が湾曲の頂上部となり前記対向基板が前記アレイ基板に沿うように前記アレイ基板および前記対向基板を前記特定の方向について湾曲させる工程と、
を備える液晶表示装置を製造する方法。
【手続補正２】
【補正対象書類名】明細書
【補正対象項目名】００３９
【補正方法】変更
【補正の内容】
【００３９】
基板厚Ｔが０．２０ｍｍである場合は、表示領域のずれ最大部９４８１において、ずれ量が約４．５μｍになる。また、基板厚Ｔが０．１５ｍｍである場合は、表示領域のずれ最大部９４８１において、ずれ量が約３．５μｍになる。
【手続補正３】
【補正対象書類名】明細書
【補正対象項目名】００９７
【補正方法】変更
【補正の内容】
【００９７】
これにより、湾曲方向１１００の幅が広くなる遮光パターンが複数の遮光パターン１３６０に含まれず、隣接する２個の遮光パターン１３６０に挟まれる開口部の湾曲方向１１００の幅が狭くならず、表示領域１１８０における輝度が均一化される。
【手続補正４】
【補正対象書類名】明細書
【補正対象項目名】０１０２
【補正方法】変更
【補正の内容】
【０１０２】
ただし、アレイ基板１１４０の画素ピッチが一定の画素ピッチＰに維持されず対向基板１１４１の画素ピッチが一定の画素ピッチＰに維持されることも許される。この場合は、着目する配線パターン１３４０の湾曲方向１１００の位置が、アレイ基板１１４０が平坦であり複数の配線パターン１３４０が一定のピッチで配列されるときの湾曲方向１１００の位置からずらされ、着目する遮光パターン１３６０の湾曲方向１１００の位置が、対向基板１１４１が平坦であり複数の遮光パターン１３６０が一定のピッチで配列されるときの湾曲方向１１００の位置からずらされない。
【手続補正５】
【補正対象書類名】明細書
【補正対象項目名】０１１７
【補正方法】変更
【補正の内容】
【０１１７】
シミュレーション計算は、湾曲の曲率、アレイ基板１１４０の基板厚、対向基板１１４１の基板厚、アレイ基板１１４０の外形サイズ等のアレイ基板１１４０のサイズ、対向基板１１４１の外形サイズ等の対向基板１１４１のサイズ、表示領域１１８０の範囲、シール材１１４２が設けられる領域の位置、アレイ基板１１４０から対向基板１１４１までの距離であるセルギャップ等の情報に基づいて行われる。シミュレーション計算においては、シール材１１４２が設けられる領域を固定端としてアレイ基板１１４０および対向基板１１４１が湾曲させられるモデルが用いられる。
【手続補正６】
【補正対象書類名】明細書
【補正対象項目名】０１２７
【補正方法】変更
【補正の内容】
【０１２７】
３  実施の形態２
３．１  実施の形態１と実施の形態２との主要な相違
実施の形態２は、実施の形態１の液晶表示装置１０００に備えられる遮光パターン１３６０および着色部アレイ１３８０をそれぞれ置き換える遮光パターンおよび着色部アレイに関する。実施の形態１と実施の形態２との主要な相違は、実施の形態１においては配線パターン１３４０の位置からの遮光パターン１３６０の位置のずらし量が画素を単位として変化させられるのに対して、実施の形態２においては配線パターンの位置からの遮光パターンの位置のずらし量が絵素を単位として変化させられる点にある。実施の形態１において採用された構成が、上記の相違をもたらす構成の採用を阻害しない範囲において、そのまままたは変形されてから実施の形態２において採用されてもよい。
【手続補正７】
【補正対象書類名】明細書
【補正対象項目名】０１４１
【補正方法】変更
【補正の内容】
【０１４１】
４  実施の形態３
４．１  実施の形態１と実施の形態３との主要な相違
実施の形態３は、実施の形態１の液晶表示装置１０００に備えられる配線パターン１３４０、遮光パターン１３６０および着色部アレイ１３８０をそれぞれ置き換える配線パターン、遮光パターンおよび着色部アレイに関する。実施の形態１と実施の形態３との主要な相違は、実施の形態１においてはアレイ基板１１４０の画素ピッチが一定の画素ピッチＰに維持され対向基板１１４１の画素ピッチが一定の画素ピッチＰに維持されないが、実施の形態３においてはアレイ基板の画素ピッチおよび対向基板の画素ピッチのいずれも一定の画素ピッチＰに維持されない点にある。実施の形態１において採用された構成が、上記の相違をもたらす構成の採用を阻害しない範囲において、そのまままたは変形されてから実施の形態３において採用されてもよい。
【手続補正８】
【補正対象書類名】明細書
【補正対象項目名】０１６４
【補正方法】変更
【補正の内容】
【０１６４】
実施の形態４においては、対向基板１１４１がアレイ基板１１４０より湾曲内側に配置される。このため、アレイ基板１１４０が第１の基板となり、アレイ基板１１４０に備えられる遮光パターンである配線パターン１３４０が第１の遮光パターンになり、対向基板１１４１が第２の基板になり、対向基板１１４１に備えられる遮光パターン４３６０が第２の遮光パターンになる。第１の基板は、第１の基板に設けられる第１の遮光パターンの幅が変化しない基板であり、第２の基板は、第２の基板に設けられる第２の遮光パターンの幅が変化する基板である。